(57)【要約】【課題】昇降駆動部を構成する部品を少なくして装置を小型化する。また簡易な操作によってスムーズに且つ静粛に昇降動作をさせることができる。加えて容易に移動することができる。【解決手段】座椅子載置台２の前後方向中央部の下部に、幅方向に貫通する２本の回転軸４，５を設ける。該回転軸４，５の座椅子載置台２の両側部に突出する部分に、同一側の揺動支持脚同士が八の字形になるようにして、下部に車輪８，９を取着した揺動支持脚６，７の上端部を固着する。前記回転軸４，５に歯車１１，１２を固着し、これらを噛合させる。揺動支持脚７の上端部に押圧作動片１０を突設し、これを座椅子載置台２に取り付けたシリンダー１３のピストンロッド１３ａの先端に連結する。【選択図】            図１
2004242694.tif 000002
【特許請求の範囲】
【請求項１】
座椅子載置台の中央下部に、幅方向に貫通する２本の回転軸を水平方向に平行して設け、該２本の回転軸の座椅子載置台の両側部に突出した部分に夫々揺動支持脚の上部を固着し、前記揺動支持脚の上部に夫々歯車を固着すると共に同一側の歯車同士を噛合させ、更に前記揺動支持脚のいずれか一方の上端部に押圧作動片を設け、該押圧作動片を前記座椅子載置台に上下方向揺動可能に取り付けたシリンダーのピストンロッドの先端に回動自在に連結し、該ピストンロッドの伸出と退入を介して同一側の揺動支持脚同士を開閉方向に作動させるようにした座椅子用昇降台。
【請求項２】
前記揺動支持脚の下部に車輪を取り付けると共に、同一側の揺動支持脚同士を略八の字形になるように取り付けたことを特徴とする請求項１記載の座椅子用昇降台。
【発明の詳細な説明】
【０００１】
【特許文献１】
登録第３００６２２２号登録実用新案公報
【特許文献２】
特許第２８１９１１０号特許公報
【０００２】
【発明の属する技術分野】
本発明は足の悪い人や老人、病人等で身体の弱った人が容易に立ち易くするための座椅子用昇降台に関するものである。
【０００３】
【従来の技術】
本発明者は、先に上記特許文献１、２に示された座椅子用昇降台を案出した。図５は特許文献１に示されたものであり、平板状のベース１００の両側部に、該ベース１００に対して起伏可能に揺動支持脚１０１，１０１を取り付けると共に、該揺動支持脚１０１，１０１の上端に平板状の座椅子載置台１０２を取り付け、更にこれらベース１００と座椅子載置台１０２との間にエアバッグ１０３を介在させ、このエアバッグ１０３にコンプレッサ１０４からのエアを導入して膨張させ、座椅子載置台１０２を上昇させるものである。尚、１０５，１０５は揺動支持脚１０１，１０１の枢着部、１０６はコンプレッサの操作スイッチである。
【０００４】
しかし上記座椅子用昇降台は、エア給排部によってエアを給排しエアバッグの膨縮動作により座椅子載置台を昇降させるものであるため、座椅子載置台の昇降速度の調節制御のために装置が大型化し、かつエアの給排音が避けられないという問題点があった。加えて動きがスムーズでないという問題点もあった。
【０００５】
そこで、この問題点を解消するために、本発明は上記特許文献２に示された座椅子用昇降台を案出した。図６及び図７は特許文献２に示されたものであり、平板状のベース１０７の両側部に、該ベース１０７に対して起伏可能に揺動支持脚１０８，１０８を取り付けると共に、該揺動支持脚１０８，１０８の上端に平板状の座椅子載置台１０９を取り付け、更に前記揺動支持脚１０８，１０８に対してスライド可能に係合する係合部１１０と、この係合部１１０を揺動させて揺動支持脚１０８，１０８を起伏させ得る揺動腕１１１とからなる昇降駆動部１１２によって座椅子載置台１０９を昇降させるものである。尚、１１３，１１３は揺動支持脚１０８，１０８の枢着部、１１４は減速機構付き電動機、１１４ａは減速機構付き電動機１１４の減速部、１１４ｂは減速軸、１１５は減速ギヤ部、１１６は揺動腕１１１の支持軸、１１７は前記係合部１１０におけるローラベース、１１８，１１８は該ローラベース１１７から並立するローラであり、前記揺動支持脚１０８を転動可能に挟むものである。また１１９は前記座椅子載置台１０９上に載置する座椅子である。
【０００６】
この座椅子用昇降台は、前記特許文献１の問題点をある程度解消することができ、動きがスムーズになると共に音も静かにすることができた。しかしながら、まだ昇降駆動部を構成する部品が多くて装置が大型であるという点は解消されていない。そして、実際に使用するにあたっては座椅子用昇降台を移動可能にした方が使い勝手が良く、そのようにして欲しいという要望があった。
【０００７】
【発明が解決しようとする課題】
本発明は上記の点に鑑みなされたものであって、昇降駆動部を構成する部品を少なくして装置を小型化し、しかも簡易な操作によってスムーズに且つ静粛に昇降動作をさせることができ、加えて容易に移動することができるようにした座椅子用昇降支持台を提供するものである。
【０００８】
【課題を解決するための手段】
本発明の要旨とするところは、座椅子載置台の中央下部に、幅方向に貫通する２本の回転軸を水平方向に平行して設け、該２本の回転軸の座椅子載置台の両側部に突出した部分に夫々揺動支持脚の上部を固着し、前記揺動支持脚の上部に夫々歯車を固着すると共に同一側の歯車同士を噛合させ、更に前記揺動支持脚のいずれか一方の上端部に押圧作動片を設け、該押圧作動片を前記座椅子載置台に上下方向揺動可能に取り付けたシリンダーのピストンロッドの先端に回動自在に連結し、該ピストンロッドの伸出と退入を介して同一側の揺動支持脚同士を開閉方向に作動させるようにした座椅子用昇降台である。
また、本発明の要旨とするところは、前記揺動支持脚の下部に車輪を取り付けると共に、同一側の揺動支持脚同士を略八の字形になるように取り付けたことである。
【０００９】
【発明の実施の形態】
以下、本発明の実施の形態について図面を参照にして説明する。
図１は後方側から見た座椅子載置台の斜視図、図２は後方側から見た座椅子載置台の右側部分の拡大断面図、図３は後方側から見た座椅子載置台の左側部分の拡大断面図及び図４は揺動支持脚の作動説明図である。
【００１０】
図中、１は座椅子用昇降台であり、２は座椅子載置台である。また、該座椅子載置台２は、本実施形態では、平板状の底板２ａの左右両側部に直角に側壁２ｂ，２ｂを起立させ、かつ底板２ａの上部であって後記回転軸より若干上の位置に支持板２ｃを設けている。
【００１１】
更に本実施形態では、該座椅子載置台２の左右両側部に肘掛け３，３を取り付けている。
【００１２】
４，５は前記座椅子載置台２の前後方向中央部の下部に、幅方向に貫通する回転軸である。また、該回転軸４，５は水平方向に平行して取り付けている。
【００１３】
６，６，７，７は、回転軸４，５を中心に前後方向に回動する揺動支持脚であり、前記回転軸４，５が座椅子載置台２の両側部の側壁２ｂ，２ｂから突出した部分の夫々に上端を固着している。そして、これら揺動支持脚６，６，７，７は、同一側のもの同士、即ち、右側と左側の夫々の前後の揺動支持脚６，７同士を側面から見て略八の字形になるように取り付けている。
そしてこれらの揺動支持脚６，６，７，７の下部には夫々車輪８，８，９，９を回転自在に取り付けている。更に、これらの揺動支持脚６，６，７，７のいずれか一方、即ち本実施形態では後方側から見て右側の揺動支持脚７の上端部に所定角度に押圧作動片１０を突設している。なお、１０ａはピン嵌合孔である。
【００１４】
１１，１１，１２，１２は歯車であり、前記回転軸４，５が座椅子載置台２の両側部の側壁２ｂ，２ｂから突出した部分で、かつ側壁２ｂと揺動支持脚６，７の間の回転軸４，５に固着している。そしてこれら歯車１１，１１，１２，１２は、同一側のもの同士、即ち、右側と左側の夫々の前後の歯車１１，１２同士が噛合している。
【００１５】
１３は前記座椅子載置台２に上下方向揺動可能に取り付けたシリンダーである。また、該シリンダー１３は、座椅子載置台２に固定した支承板１４に軸１５によって枢着しており、そのピストンロッド１３ａの先端は前記押圧作動片１０に回動自在に連結している。なお、１６は連結ピンであり、１７は座椅子を示す。
【００１６】
次に、本実施形態の作用について説明する。
図４は、揺動支持脚６，７の作動説明図である。同図において同一側の揺動支持脚６が実線で示す位置から矢印Ｅ方向に、また揺動支持脚７が実線で示す位置から矢印Ｄ方向に回動して開いて両揺動支持脚６，７が一直線となり、座椅子載置台２の底板２ａ及び床面Ｇと平行になった位置が座椅子載置台２が最も下降した位置であり、座椅子１７に使用者が座った状態の位置である。また、この状態ではシリンダー１３のピストンロッド１３ａは最も伸出している。
【００１７】
そしてコントロールスイッチ（図示せず）を操作してシリンダー１３を作動し、そのピストンロッド１３ａを退入させると、押圧作動片１０が矢印Ａ方向に引っ張られて揺動支持脚７が矢印Ｂ方向の下向きに回動する。
そしてこれに伴い回転軸５が回転し、それに固着した歯車１２と、該歯車１２と噛合する歯車１１を介して回動軸４も反対方向に同一角度に回転する。
これにより揺動支持脚６は矢印Ｃ方向の下向きに回動する。そしてこれら同一側の前後の揺動支持脚６，７が内側に向かって閉じる方向に回動して、両揺動支持脚６，７が略八の字形になった状態でシリンダー１３の作動を停止すると、座椅子載置台２が最も上昇した状態になる（図１参照）。なお、この状態におけるシリンダー１３の作動停止は、公知の適宜の手段を採用して行えば良い。
【００１８】
上記のように、使用者は座椅子載置台２が最も下降した位置で座椅子１７に座り、その後必要に応じてシリンダー１３を作動させ、揺動支持脚６，７を閉じる方向に回動させることで座椅子載置台２を上昇させることができる。そのため、足の悪い人や老人、病人等で身体の弱った人でも他人の援助を必要とせず自力で容易に立ち上がることができる。
また、同様に揺動支持脚６，７を外側に開く方向に回動させることで座椅子載置台２を下降させることができる。
さらには、下部に設けた車輪８，８，９，９で容易に座椅子用昇降台１全体を移動させることもできる。
【発明の効果】
【００１９】
本発明は上記の如き構成、作用であり、揺動支持脚の動作をシリンダーによって行うようにしたから、本発明者が先に案出したものよりも小型に構成することができ、しかも使用者が簡易な操作によってスムーズに、かつ静粛に座椅子の昇降動作を行うことができる。加えて容易に移動させることもできるものである。
【図面の簡単な説明】
【図１】後方側から見た座椅子載置台の斜視図である。
【図２】後方側から見た座椅子載置台の右側部分の拡大断面図である。
【図３】後方側から見た座椅子載置台の左側部分の拡大断面図である。
【図４】揺動支持脚の作動説明図である。
【図５】特許文献１記載の座椅子用昇降台の斜視図である。
【図６】特許文献２記載の座椅子用昇降台の側面図である。
【図７】特許文献２記載の座椅子用昇降台における揺動支持脚の駆動機構部の斜視図である。
【符号の説明】
１    座椅子用昇降台
２    座椅子用載置台
４，５    回転軸
６，６    前側の揺動支持脚
７，７    後側の揺動支持脚
８，８    車輪
９，９    車輪
１０    押圧作動片
１１，１１    歯車
１２，１２    歯車
１３    シリンダー
１３ａ    ピストンロッド
Ｇ    床面
【図１】
2004242694.tif 000003
【図２】
2004242694.tif 000004
【図３】
2004242694.tif 000005
【図４】
2004242694.tif 000006
【図５】
2004242694.tif 000007
【図６】
2004242694.tif 000008
【図７】
2004242694.tif 000009